(57)【特許請求の範囲】
【請求項１】
水平断面が略くの字に折り曲げられた支持枠体を立設し、当該支持枠体の折れ曲がった左右の両側内側から、上下方向に間隔をあけて、対のラック受け腕を複数段突設し、各段の左右のラック受け腕に夫々ケーブルラックの端部を載せて固定し、左右の隣接する各ケーブルラックが相互に角度を成して配設される構成としたことを特徴とする、ケーブルラック受け架台。
【請求項２】
前記各段の対のラック受け腕を支持する支持枠体が、水平断面くの字型の中央部で切断分離され、左右の各支持枠片は蝶番で相互に回動自在に接続されていることを特徴とする、請求項１に記載のケーブルラック受け架台。
【請求項３】
前記各ラック受け腕は長さが伸縮自在になっていることを特徴とする、請求項１又は２に記載のケーブルラック受け架台。
【請求項４】
前記各対の左右のラック受け腕は、前記支持枠体に着脱自在に設けられ、かつ、前記支持枠体の水平方向の複数箇所に取り付け可能としていることを特徴とする、請求項１〜３のいずれかに記載のケーブルラック受け架台。
【請求項５】
左右の各対のラック受け腕にケーブル受け板を渡したことを特徴とする、請求項１〜４のいずれかに記載のケーブルラック受け架台。
【請求項６】
円形の建物の内周壁など曲線形状の壁面に沿って、既設のケーブルラックを隣接する架台の相応するラック受け腕に両端部に載せて固定するに際し、請求項１〜５のいずれかの発明の架台を使用して、当該建物の湾曲度合い、及び大きさに合わせたケーブルラックを布設することを特徴とする、ケーブルラックの布設方法。
【発明の詳細な説明】
【技術分野】
【０００１】
この発明は、ビル等の構築物における電力ケーブルや通信ケーブル等を支持するケーブルラックの受け架台であって、特にケーブルラックを略水平方向に折り曲げて布設するのに適した受け架台であり、さらに、これを用いたケーブルラックの布設工法に関するものである。
【背景技術】
【０００２】
このケーブルラックは梯子形状を成し、当該ケーブルラックに電力ケーブルや通信ケーブル等を沿わせて固定し、支持するものであり、市販の既設のケーブルラックは一定幅、一定長の大きさを有しているものが数種類用意されている。従って、これらの既設のケーブルラックを水平に布設するには、各ケーブルラックを天井等から吊り下げるとともに、各ケーブルラックの端部を連結接続して布設している。
【０００３】
そして、当該ケーブルラックを布設する構築物がドーム等の円形の建物の場合は、内周壁に沿ってケーブルラックを折り曲げて布設するが、その場合は、円形の角度に合わせて、図１２のａ図に示すように、隣接する各ケーブルラック６の内側端部を斜めに切断して（図では一点鎖線Ｘ箇所）短くし、ｂ図に示すように、各ケーブルラックの端部を突き合わせて接続し、この状態で天井等から吊るして布設している。
【０００４】
このため、各ケーブルラックの内側端部を予め工場等で切断することもできるが、現場でこれらを接続する際、寸法が合わなかったりすると、そこで再度切断しなければならない等、極めて手間のかかる作業である。
【０００５】
そこで、特許文献１に示すように、各ケーブルラック全体の長さを短くし、これらのラックを、種々の方向に予め折り曲げた連結部材で接続し、湾曲したケーブルラックを構成したり、また、特許文献２に示すように、各ケーブルラック自体を、任意の角度に上下曲り、ねじれ、水平面における伸縮並びに左右方向の曲げが可能な構成としたりして、作業性の向上を図っている。
【０００６】
【特許文献１】実開平６−５３１７号公報
【特許文献２】特開平５−３８０１８号公報
【発明の開示】
【発明が解決しようとする課題】
【０００７】
しかしながら、前記特許文献１のものは、ケーブルラックを水平方向で湾曲させるには、多数のケーブルラックを連結部材で接続しなければならず、現場での接続作業に手間のかかるものである。
【０００８】
また、特許文献２のものは、接続作業は容易なものの、湾曲自在な各ケーブルラック自他の構成が複雑で、製造に極めて手間のかかるものである。
【０００９】
そこで、この発明は、これらの従来技術に鑑み、市販の一定の大きさのケーブルラックをそのまま使用し、水平方向の湾曲形状に沿って極めて容易にケーブルラックを布設することが出来る受け架台を提供するとともに当該受け架台を用いたケーブルラックの布設工法を提供することを目的としたものである。
【課題を解決するための手段】
【００１０】
請求項１の発明は、水平断面が略くの字に折り曲げられた支持枠体を立設し、当該支持枠体の折れ曲がった左右の両側内側から、上下方向に間隔をあけて、対のラック受け腕を複数段突設し、各段の左右のラック受け腕に夫々ケーブルラックの端部を載せて固定し、左右の隣接する各ケーブルラックが相互に角度を成して配設される構成とした、ケーブルラック受け架台とした。
【００１１】
また、請求項２の発明は、請求項１の発明において、前記各段の対のラック受け腕を支持する支持枠体が、水平断面くの字型の中央部で切断分離され、左右の各支持枠片は蝶番で相互に回動自在に接続されている、ケーブルラック受け架台とした。
【００１２】
また、請求項３の発明は、請求項１又は２の発明において、前記各ラック受け腕は長さが伸縮自在になっている、ケーブルラック受け架台とした。
【００１３】
また、請求項４の発明は、請求項１〜３のいずれかの発明において、前記各対の左右のラック受け腕は、前記支持枠体に着脱自在に設けられ、かつ、前記支持枠体の水平方向の複数箇所に取り付け可能としている、ケーブルラック受け架台とした。
【００１４】
また、請求項５の発明は、請求項１〜４の発明において、左右の各対のラック受け腕にケーブル受け板を渡した、ケーブルラック受け架台とした。
【００１５】
また、請求項６の発明は、円形の建物の内周壁など曲線形状の壁面に沿って、既設のケーブルラックを隣接する架台の相応するラック受け腕に両端部に載せて固定するに際し、請求項１〜５のいずれかの発明の架台を使用して、当該建物の湾曲度合い、及び大きさに合わせたケーブルラックを布設する、ケーブルラックの布設方法とした。
【発明の効果】
【００１６】
請求項１の発明のケーブル受け架台によれば、支持枠体の水平断面がくの字に折れ曲がった左右両側から各段の対のラック受け腕が突出しているため、これらの複数の架台を、建物内部の天井や床や壁に支持し、隣接するケーブルラックの各端部をこれらの各架台の左右両側の一方のラック受け腕に載せて固定すれば、隣接するケーブルラックは水平方向に折り曲げられて接続される。
【００１７】
しかも、当該ケーブルラック受け架台を建築物等の天井や床や壁に支持させれば、既設の規定の長さのケーブルラックをそのまま、各端部を前記各架台に載せて取り付けるだけで、容易に各ケーブルラックを水平方向に湾曲して配設でき、従来のように、隣接する各ケーブルラックを折り曲げられた連結金具や継手で接続したり、また、既設のケーブルラックの内側端部を工場や現場で切断する作業を省くことが出来、作業性が極めて高い。
【００１８】
また、請求項２の発明によれば、前記各段の対のラック受け腕を支持する支持枠体が、水平断面くの字型の中央部で切断分離され、左右の各支持枠片は蝶番で相互に回動自在に接続されているため、建築物や建造物の湾曲度合いによって、各架台の左右の支持枠片の開き度合いを容易にかつ自由に調節できる。
【００１９】
また、請求項３の発明によれば、前記各ラック受け腕は、長さが伸縮自在になっているため、隣接するケーブルラックの成す角度に応じて、前記ラック受け腕の長さを調節することが出来る。
【００２０】
また、請求項４の発明によれば、前記各対の左右のラック受け腕は、支持枠体に着脱自在に設けられ、かつ、前記支持枠体の水平方向の複数箇所に取り付け可能としているため、接続するケーブルラックの長さに応じて、前記支持枠体に取り付けられる前記ラック受け腕の位置を変えることが出来る。
【００２１】
また、請求項５の発明では、左右のラック受け腕にケーブル受け板を渡したため、隣接したケーブルラックから導出されたケーブルを当該ケーブル受け板の上に載せることが出来、当該箇所でケーブルが垂れることがない。
【００２２】
また、請求項６の発明によれば、請求項１〜５のケーブルラック受け架台を用いれば、既設の一定長のケーブルラックをそのまま、隣接する架台のラック受け腕に両端部を載置、固定するため、隣接するケーブルラックを水平方向に容易に折り曲げて配設することが出来る。また、作業手順としては、各架台において、下段から順に各段にケーブルラックを取付けるごとに、ケーブルを取り付けることができる。この場合は、ケーブルラックの取付け及び当該ケーブルラックへのケーブルの布設の際、上方に障害物がなく、作業がし易い。また、他の作業手順として、架台のラック受け腕の２段目、４段目、６段目の順に、ケーブルラックを載置、固定し、その上に、ケーブルを布設、固定する等、任意の作業手順が適用できる。
【００２３】
また、この発明では、多数の各ケーブルラックを各架台を介して接続しているため、各ケーブルラックが独立しており、一度布設したケーブルラックを、架台から容易に引き出すことが出来る。従って、メインテナンスや改修、追加工事の際、任意のケーブルラックだけ、ボルト等を外し、水平方向に引出し、前記作業が出来る。
【図面の簡単な説明】
【００２４】
【図１】この発明の実施例１の架台の斜視図である。
【図２】この発明の実施例１の架台にケーブルラックを載せた平面図である。
【図３】この発明の実施例１の架台に角度を変えてケーブルラックを載せた平面図であり、（イ）図及び（ロ）図は隣接するケーブルッラック端部の配置の異なる例を示すものである。
【図４】この発明の実施例１の架台を用いて横断面円形の建物にケーブルラックを設置した状態を示す概略平面図である。
【図５】この発明の実施例２の架台にケーブルラックを載せた平面図である。
【図６】この発明の実施例２の架台に角度を変えてケーブルラックを載せた平面図である。
【図７】この発明の実施例３の架台にケーブルラックを載せた平面図である。
【図８】この発明の実施例３の架台のラック受け腕の長さを伸縮自在とした断面側面図である。
【図９】この発明の実施例３の架台の長さの異なるラック受け腕を着脱自在とした断面側面図である。
【図１０】この発明の実施例４の架台にケーブルラックを載せた平面図である。
【図１１】この発明の実施例４の架台の水平腕にラック受け腕を着脱自在とした断面側面図である。
【図１２】従来における複数のケーブルラックの折り曲げ接続作業を示す平面図である。
【発明を実施するための形態】
【００２５】
この発明は、水平断面が略くの字に折り曲げられた支持枠体を立設し、当該支持枠体の折れ曲がった左右の両側内側から、上下方向に間隔をあけて、対のラック受け腕を複数段突設し、各段の左右のラック受け腕に夫々ケーブルラックの端部を載せて固定し、左右の隣接する各ケーブルラックが相互に角度を成して配設される構成としたケーブルラック受け架台である。
【００２６】
これにより、隣接するケーブルタックを水平方向に折りまげて容易に接続することが出来る。
【実施例１】
【００２７】
以下、この発明の実施例１を図に基づいて説明する。図１に示すように、この発明のケーブルラック受け架台Ａは、水平断面が略くの字に折り曲げられた支持枠体１を立設している。この支持枠体１は、左右端及び中央部の支柱２と、これらの支柱２の上部及び下部に設けられ、これらの支柱２を繋ぐ、水平断面がくの字に折れ曲がった水平腕３とから構成されている。
【００２８】
そして、当該支持枠体１の左右端の主柱２箇所の内側から、上下方向に間隔をあけて、左右で対のラック受け腕４を複数段突設し、また、前記支持枠体１の中央部の支柱２から、前記各対のラック受け腕４の位置に合わせて、補助腕５を突設している。これにより、図２に示すように、前記ラック受け腕４及び中間腕５の先端は、略同一中心軸方向に向かって、近接している。
【００２９】
そして、図２に示すように、各段の左右の対のラック受け腕４、４に夫々ケーブルラック６の端部を載せて固定し、隣接する各ケーブルラック６が相互に角度を成して配設される構成とした。
【００３０】
また、上記構成から成るケーブルラック受け架台Ａは、図４に示すように、例えば、横断面が円形の建物７において、天井から吊り下げられたり、床に立設したり、建築物の壁に支持されたりして多数の架台Ａを間隔を空けて略円形に支持して設け、隣接する各架台Ａの相応する段のラック受け腕４に、既設のケーブルラック６の両端部を載せ、各架台Ａのラック受け腕４とケーブルラック６の各端部とをボルト止めなどで固定するものである。
【００３１】
また、図３（イ）に示すように、各架台Ａの両側のラック受け腕４、４に、隣接するケーブルラック６の各端部を、内側の端部を相互に突き合わせ、外側の端部を引き離して載置、固定することにより、図２のケーブルラック６の接続角度に比べ、各ケーブルラック６はより鋭角な角度をつけて折り曲げられることとなる。
【００３２】
このように各ケーブルラック６をより鋭角な角度をつけて折り曲げて接続する方法は、他に図３（ロ）に示す方法もある。この場合は、各架台Ａの一方にラック受け腕４に、隣接するケーブルラック６の端部を、前記ラック受け腕４に対して、図２と同様に、略直角に配置して載置し、他方のケーブルラック６のみを、その端部を他方のラック受け腕４及び補助腕５に跨るようにずらして載せ、隣接するケーブルラック６に対してより鋭角な角度をつけて配設するものである。
【００３３】
また、図１に示すように、ケーブルの敷設後に架台Ａの上端部にカバー１６を取付け、架台Ａの内部へ塵埃等が入るのを防止することもできる。更に、前記カバー１６と同形のものをケーブル受け板とし、各段の左右のラック受け腕４、４の間に渡し、ケーブルが必要以上に垂れるのを防止することもできる。
【００３４】
また、各段のラック受け腕４の先端を支持部材１７で支持する構成とすることもできる。この場合、支持部材１７に各ラック受け腕４の強度が増し、各段のラック受け腕の先端が下方に垂れ下がる恐れがない。
【実施例２】
【００３５】
図５はこの発明の実施例２の架台Ｂを示すもので、前記各段の対のラック受け腕４を支持する支持枠体１が、水平断面くの字型の中央部で切断分離され、左右の各支持枠片１ａ、１ａは蝶番８で相互に回動自在に接続されている。また、各支持枠片１ａの両側端部には夫々支柱２が設けられている。この実施例２では、補助腕５はない。
【００３６】
この構成においては、図５に示すように、蝶番８を中心に左右の支持枠片１ａを相互に鋭角に角度をつけると、左右のラック受け腕４の先端が接近し、各ラック受け腕４に端部を載せたケーブルラック６は相互に鋭角に折れ曲る。
【００３７】
一方、図６に示すように、左右の支持枠片１ａを開いて、鈍角に角度をつけると、左右のラック受け腕４の先端が離れ、各ラック受け腕４に端部を載せたケーブルラック６は相互に鈍角に折れ曲がる。
【００３８】
この様に、架台Ｂの左右の支持枠片１ａ、１ａを蝶番８により、接続したものは、左右のラック受け腕４に端部を載せる隣接するケーブルラック６、６の接続角度を容易に調整することができる。
【実施例３】
【００３９】
図７は、この発明の実施例３の架台Ｃを示すもので、前記各ラック受け腕４の長さを伸縮自在、又は長さの異なるラック受け腕４に取替え自在としたものである。これにより、各ラック受け腕４の長さを長くすれば、前記各ラック受け腕４に載置、固定するケーブルラック６の端部の角度を直角より鋭角に乗せることができ、隣接するケーブルラックの成す角度を自由に変えることができる。他の構成は、実施例１の架台Ａと同じである。
【００４０】
また、前記各ラック受け腕４の長さを伸縮自在とする構成は、図８に示すよう、各ラック受け腕４に重ねて設けた延長腕９と、ラック受け腕４とをボルト１０で貫通し、当該ボルト１０の下端にナット１１を螺着し、前記延長腕９のボルト貫通孔を長孔１２とすることにより、ナット１１を緩めて、延長腕９のラック受け腕４からの突出長さを調整し、ナット１１を締め付けることにより行える。
【００４１】
また、各ラック受け腕４の支持枠体１に対する着脱自在な構成は、図９に示すように、各ラック受け腕４の端部からボルト１３を突出させ、支柱２に穿った孔１４に通して、支柱２の裏側に突出したボルト１３に蝶ナット１５を締め付けたもので、この様な構造で長さの異なるラック受け腕４を数種類用意しおくことにより行える。
【実施例４】
【００４２】
図１０はこの発明の実施例４の架台Ｄを示すもので、前記実施例１の支持枠体１に、複数段の水平腕３が設けられ、ラック受け腕４はこれらの各段の水平腕３に着脱自在に固定されており、かつ、各水平腕３の長手方向の複数個所で固定できる構成となっている。
【００４３】
前記ラック受け腕４の水平腕３に対する着脱自在な構成は、例えば、水平腕３の複数個所に孔１４が穿ってあり、図１１に示すように、ラック受け腕４の端部にボルト１３を突設し、当該ボルト１３を前記の任意の孔１４に通して、水平腕３の裏面に突出したボルト１３に蝶ナット１５を螺着し、各ラック受け腕４を水平腕３に固定するものである。
【００４４】
これにより、隣接するケーブルラック６の長さが長ければ、水平腕３の中央部にラック受け腕４を設け、ケーブルラック６の長さが短ければ、水平腕３の両側部にラック受け腕４を設けることが出来る。この様に、ケーブルラック６の長さに応じて各ラック受け腕４の位置を変えることが出来る。
【００４５】
前記実施例１、２及び３では、支持枠体１が、左右の支柱２、中央部の支柱２及び上下の水平腕３から構成しており、また、実施例４は支持枠体１が、さらに複数段の水平腕３を設けた構成としているが、この発明の支持枠体１は、これらの実施例に限るものではなく、水平断面が略くの字に折り曲げられた構成であれば、他の構成でも良い。
【符号の説明】
【００４６】
Ａ      架台                        Ｂ      架台
Ｃ      架台                        Ｄ      架台
１      支持枠体                    １ａ    支持枠片
２      支柱                        ３      水平腕
４      ラック受け腕                ５      補助腕
６      ケーブルラック              ７      建物
８      蝶番                        ９      延長腕
１０    ボルト                      １１    ナット
１２    長孔                        １３    ボルト
１４    孔                          １５    蝶ナット
１６    カバー                      １７    支持部材        
【図１】
0005827146.tif 000002
【図２】
0005827146.tif 000003
【図３】
0005827146.tif 000004
【図４】
0005827146.tif 000005
【図５】
0005827146.tif 000006
【図６】
0005827146.tif 000007
【図７】
0005827146.tif 000008
【図８】
0005827146.tif 000009
【図９】
0005827146.tif 000010
【図１０】
0005827146.tif 000011
【図１１】
0005827146.tif 000012
【図１２】
0005827146.tif 000013